(57)【特許請求の範囲】
【請求項１】
シートバックの上方に配置されるヘッドレストを設けたヘッドレストステーを嵌入保持し、座席に配設されたブラケットに支持可能に形成されるヘッドレストサポートであって、
このヘッドレストサポートは、頭部、この頭部の下方に設けられた、当該頭部より小径の首部、並びにこの首部の下方に設けられた、当該首部より小径の胴部と、この頭部から、前記首部、並びに前記胴部に亙って貫設されたヘッドレストステー挿入用の貫通孔とで構成されており、
前記胴部と、前記首部との連設部の周面に設けた弾性体と、この弾性体の撓みを受入れる受入れ切欠きとでなる第一のガタ防止機構と、
前記胴部の長手方向に、対で設けたヘッドレストステー及び／又はブラケット押圧用の弾性帯片、切り溝とでなる第二のガタ防止機構と、
前記胴部の中間下部の周面に設けた弾性体と、この弾性体の撓みを受入れる受入れ切欠きとでなる第三のガタ防止機構とを介して、ヘッドレストのガタ防止を図る構成としたガタ防止機構を備えたヘッドレストサポート。
【請求項２】
請求項１に記載のヘッドレストサポートであって、
前記受入れ切欠きは、貫通孔の周壁に形成した貫通切欠きとし、前記弾性体は、この貫通切欠きを介して、連設部の周面か、又は中間下部の周面に設けた弾性体舌片とする構成としたガタ防止機構を備えたヘッドレストサポート。
【請求項３】
請求項１に記載のヘッドレストサポートであって、
前記受入れ切欠きは、貫通孔の周壁に形成した切欠き部とし、前記弾性体は、この受入れ切欠きを遮断するように設けた連結片部を介して、連設部の周面か、又は中間下部の周面に設けた弾性体舌片とする構成としたガタ防止機構を備えたヘッドレストサポート。
【請求項４】
請求項１に記載のヘッドレストサポートであって、
前記受入れ切欠きは、その軸芯方向を、狭く、またその放射方向を、広く形成する構成としたガタ防止機構を備えたヘッドレストサポート。
【請求項５】
請求項１に記載のヘッドレストサポートであって、
前記第一のガタ防止機構の弾性体は、前記連設部の一方の周壁に設けた一方の弾性体、及びこの一方の弾性体に設けた切欠き部でなる膨出壁片と、この膨出壁片に設けた突部とし、また、この連設部の他方の周壁に設けた他方の弾性体は、この他方の弾性体、及びこの他方の弾性体に設けた受入れ切欠み部でなる第五のガタ防止機構とする構成としたガタ防止機構を備えたヘッドレストサポート。
【請求項６】
請求項１に記載のヘッドレストサポートであって、
前記第一・第三のガタ防止機構を構成する弾性体の外側に、膨出部位を設ける構成としたガタ防止機構を備えたヘッドレストサポート。
【請求項７】
請求項１に記載のヘッドレストサポートであって、
前記頭部に設けた貫通孔に、弾性膨出部を形成し、この頭部のガタ防止を図る第四のガタ防止機構を有する構成としたガタ防止機構を備えたヘッドレストサポート。
【請求項８】
請求項１に記載のヘッドレストサポートであって、
前記胴部の下端に、弾性体と、この弾性体の撓みを受入れる受入れ切欠きとでなる第六のガタ防止機構を有する構成としたガタ防止機構を備えたヘッドレストサポート。
【発明の詳細な説明】
【技術分野】
【０００１】
本発明は、ブラケットと、ヘッドレストサポート（サポートとする）及び／又はヘッドレストステー（ステーとする）等のヘッドレスト装置全体のガタ防止機構であって、特に、ブラケットと、サポート、並びにステーとによる前後方向のガタ防止機構を備えたサポートに関する。
【背景技術】
【０００２】
サポートのガタ防止機構は、車輌内（車内）の静寂性追求が極度に、要求される状況である。従って、これまで幾多の発明及び／又は考案が提案されており、その一部は実用に供されている。そして、本出願人が提案する発明及び／又は製品が、業界のパイオニアで、かつ最上のガタ防止製品となっている。また、現状においては、この業界では標準品として採用されている。
【０００３】
以下、文献（１）として挙げる特開平１１−８９６６５の「ヘッドレストサポート」と、同文献（２）として挙げる特開２００６−１９８２２６の「ヘッドレストサポートと、このヘッドレストサポートに組付けられるロック部材」とがある。そして、市場の製品は、主として、文献（１）の実施品である。
【０００４】
この文献（１）は、サポートを、頭部と首部と胴部とで一体的に樹脂形成し、この胴部に、ヘッドレストのステーを内方に向かって弾性的に保持するステー押圧部を形成し、これにより、ステーを弾性的に支持する構造とし、先ず、ブラケットと、サポート、並びにステーとの間における嵌合状態及び／又は組付け状態のガタ防止と、この組付け後のガタ防止を図ることを目的とする。そして、この構造を採用することで、例えば、走行時の静寂性の向上を図り、また製作面におけるブラケットと、サポート、並びにステーとの間における公差の問題解消と、さらには温度変化に対する公差のばらつきに影響されることなく、このサポートとステーとの間のガタ防止を図ることを意図する。
【０００５】
また文献（２）は、文献（１）の構造の一層のガタ防止を意図した構成であり、首部の軸方向の下側に、このサポートの壁を介して貫通孔の軸芯方向に向かって膨出形成した、第二、第三のステー弾性押圧部を介して、このサポートと、ステーとのガタ防止を図ることを意図する。
【０００６】
尚、前記文献（１）、（２）は、業界の標準品となっているが、本出願人は、更なる改良を加え、その後、幾多のガタ防止機構を備えたサポートを提案しており、本発明は、この提案するガタ防止機構を備えたサポートを一層、進めたものであり、現状では、他に類を見ないガタ防止機構を備えたサポートであると自負する。
【０００７】
【特許文献１】特開平１１−８９６６５
【特許文献２】特開２００６−１９８２２６
【発明の開示】
【発明が解決しようとする課題】
【０００８】
前記文献（１）、（２）は、ブラケットと、サポート、並びにステーとのガタ防止を図る構成であるが、サポートの首部と胴部との連設部に設けた弾性体（第一のガタ防止機構）と、首部に設けた、弾性帯片及び切り溝とによる第二のガタ防止機構（弾性体、ステー弾性押圧部）を介して、ガタ防止を図る構造である。従って、このステーと、サポート並びにブラケットを、総合的に弾性的に支持する構造である。そして、この第一・第二のガタ防止機構では、このステー、サポート並びにブラケット（ヘッドレストの周辺）で発生するガタ防止を、略解消できる。しかし、第一のガタ防止機構が、十分に機能していないことで、サポートとブラケットの間でのガタ防止に改良の余地があった。殊に、ヘッドレストの重量の増加、又はヘッドレストを最大限に引伸ばした状態を考えた場合には、パワー不足と、このパワー不足に基くガタの発生が考えられる。
【０００９】
このような状況を解決するために、本出願人は、この文献（１）、（２）の改良を図りつつ、部品の組付け後に発生するガタ防止及び／又は公差等に起因するガタ防止を、略皆無とすることを意図する。また、当該文献（１）、（２）で提案された基本的な構造を有効利用し、かつ量産に適した構造の提案を図ること、又は組付け・製造の簡易性と、利便性が図れるガタ防止機構を備えたサポートを提案すること等を意図する。そして、さらに操作具とステーとによる第七のガタ防止機構と、胴部の中間下部と、サポートとブラケットとによる第三のガタ防止機構で、ヘッドレストの略完全なガタ防止を図ることを意図する。
【課題を解決するための手段】
【００１０】
請求項１の発明は、シートの躯体に設けたブラケットと、このブラケットに設けたサポートと、このサポートに設けたステーの組付け後に発生するガタ防止及び／又はこれらの公差等に起因するガタ防止を、略皆無とすることを意図する。そして、請求項１の発明は、先行文献（１）、（２）で提案された基本的な構造を有効利用し、かつ量産に適した構造の提案を図ること、又は組付け・製造の簡易性と、利便性が図れるガタ防止機構を備えたサポートを提案すること等を意図する。また、請求項１の発明は、前記目的を達成し、かつ胴部の中間下部と、サポートとブラケットとによる第三のガタ防止機構で、ヘッドレストの略完全なガタ防止を図ることを意図する。
【００１１】
請求項１は、シートバックの上方に配置されるヘッドレストを設けたヘッドレストステーを嵌入保持し、座席に配設されたブラケットに支持可能に形成されるヘッドレストサポートであって、
このヘッドレストサポートは、頭部、この頭部の下方に設けられた、当該頭部より小径の首部、並びにこの首部の下方に設けられた、当該首部より小径の胴部と、この頭部から、前記首部、並びに前記胴部に亙って貫設されたヘッドレストステー挿入用の貫通孔とで構成されており、
前記胴部と、前記首部との連設部の周面に設けた弾性体と、この弾性体の撓みを受入れる受入れ切欠きとでなる第一のガタ防止機構と、
前記胴部の長手方向に、対で設けたヘッドレストステー及び／又はブラケット押圧用の弾性帯片、切り溝とでなる第二のガタ防止機構と、
前記胴部の中間下部の周面に設けた弾性体と、この弾性体の撓みを受入れる受入れ切欠きとでなる第三のガタ防止機構とを介して、ヘッドレストのガタ防止を図る構成としたガタ防止機構を備えたヘッドレストサポートである。
【００１２】
【００１３】
【００１４】
請求項２の発明は、請求項１の目的を達成し、かつこの目的を達成するのに最適な、第一の受入れ切欠きの構造を提供することを意図する。
【００１５】
請求項２は、請求項１に記載のサポートであって、
前記受入れ切欠きは、貫通孔の周壁に形成した貫通切欠きとし、前記弾性体は、この貫通切欠きを介して、連設部の周面か、又は中間下部の周面に設けた弾性体舌片とする構成としたガタ防止機構を備えたサポートである。
【００１６】
請求項３の発明は、請求項１の目的を達成し、かつこの目的を達成するのに最適な、第二の受入れ切欠きの構造を提供することを意図する。
【００１７】
請求項３は、請求項１に記載のサポートであって、
前記受入れ切欠きは、貫通孔の周壁に形成した切欠き部とし、前記弾性体は、この受入れ切欠きを遮断するように設けた連結片部を介して、連設部の周面か、又は中間下部の周面に設けた弾性体舌片とする構成としたガタ防止機構を備えたサポートである。
【００１８】
請求項４の発明は、請求項１の目的を達成し、かつこの目的を達成するのに最適な、第三の受入れ切欠きの構造を提供することを意図する。
【００１９】
請求項４は、請求項１に記載のサポートであって、
前記受入れ切欠きは、その軸芯方向を、狭く、またその放射方向を、広く形成する構成としたガタ防止機構を備えたサポートである。
【００２０】
請求項５の発明は、請求項１の目的を達成し、かつこの目的を達成するのに最適な、第五のガタ防止機構を提供することを意図する。
【００２１】
請求項１に記載のヘッドレストサポートであって、
前記第一のガタ防止機構の弾性体は、前記連設部の一方の周壁に設けた一方の弾性体、及びこの一方の弾性体に設けた切欠き部でなる膨出壁片と、この膨出壁片に設けた突部とし、また、この連設部の他方の周壁に設けた他方の弾性体は、この他方の弾性体、及びこの他方の弾性体に設けた受入れ切欠み部でなる第五のガタ防止機構とする構成としたガタ防止機構を備えたヘッドレストサポートである。
【００２２】
請求項６の発明は、請求項１の目的を達成し、かつこの目的を達成するのに最適な、第一・第三のガタ防止機構の他の一例を提供することを意図する。
【００２３】
請求項６は、請求項１に記載のサポートであって、
前記第一・第三のガタ防止機構を構成する弾性体の外側に、膨出部位を設ける構成としたガタ防止機構を備えたサポートである。
【００２４】
請求項７の発明は、請求項１の目的を達成し、かつこの目的を達成するのに最適な、頭部のガタ防止を図る第四のガタ防止機構を提供することを意図する。
【００２５】
請求項７は、請求項１に記載のサポートであって、
前記頭部に設けた貫通孔に、弾性膨出部を形成し、この頭部のガタ防止を図る第四のガタ防止機構を有する構成としたガタ防止機構を備えたサポートである。
【００２６】
請求項７の発明は、請求項１の目的を達成し、かつこの目的を達成するのに最適な、第六のガタ防止機構の構造を提供することを意図する。
【００２７】
請求項８は、請求項１に記載のサポートであって、
前記胴部の下端に、弾性体と、この弾性体の撓みを受入れる受入れ切欠きとでなる第六のガタ防止機構を有する構成としたガタ防止機構を備えたサポートである。
【００２８】
【００２９】
【発明の効果】
【００３０】
請求項１の発明は、シートバックの上方に配置されるヘッドレストを設けたステーを嵌入保持し、座席に配設されたブラケットに支持可能に形成されるサポートであって、
ヘッドレストサポートは、頭部、頭部の下方に設けられた、頭部より小径の首部、並びに首部の下方に設けられた、首部より小径の胴部と、頭部から、首部、並びに胴部に亙って貫設されたヘッドレストステー挿入用の貫通孔とで構成されており、
胴部と、首部との連設部の周面に設けた弾性体と、弾性体の撓みを受入れる受入れ切欠きとでなる第一のガタ防止機構と、
胴部の長手方向に、対で設けたステー及び／又はブラケット押圧用の弾性帯片、切り溝とでなる第二のガタ防止機構と、
胴部の中間下部の周面に設けた弾性体と、弾性体の撓みを受入れる受入れ切欠きとでなる第三のガタ防止機構とを介して、ヘッドレストのガタ防止を図る構成としたガタ防止機構を備えたヘッドレストサポートである。
【００３１】
従って、請求項１は、シートの躯体に設けたブラケットと、このブラケットに設けたサポートと、このサポートに設けたステーの組付け後に発生するガタ防止及び／又はこれらの公差等に起因するガタ防止が、略皆無となる特徴がある。そして、請求項１は、先行文献（１）、（２）で提案された基本的な構造を有効利用し、かつ量産に適した構造の提案を図ること、又は組付け・製造の簡易性と、利便性が図れるガタ防止機構を備えたサポートを提案できること等の実益を有する。また、請求項１は、前記目的を達成し、かつ胴部の中間下部と、サポートとブラケットとによる第三のガタ防止機構で、ヘッドレストの略完全なガタ防止が図れる特徴がある。
【００３２】
【００３３】
【００３４】
請求項２の発明は、請求項１に記載のサポートであって、
受入れ切欠きは、貫通孔の周壁に形成した貫通切欠きとし、弾性体は、貫通切欠きを介して、連設部の周面か、又は中間下部の周面に設けた弾性体舌片とする構成としたガタ防止機構を備えたサポートである。
【００３５】
従って、請求項２は、請求項１の目的を達成し、かつこの目的を達成するのに最適な、第一の受入れ切欠きの構造を提供できること等の特徴を有する。
【００３６】
請求項３の発明は、請求項１に記載のサポートであって、
受入れ切欠きは、貫通孔の周壁に形成した切欠き部とし、弾性体は、受入れ切欠きを遮断するように設けた連結片部を介して、連設部の周面か、又は中間下部の周面に設けた弾性体舌片とする構成としたガタ防止機構を備えたサポートである。
【００３７】
従って、請求項３は、請求項１の目的を達成し、かつこの目的を達成するのに最適な、第二の受入れ切欠きの構造を提供できること等の特徴を有する。
【００３８】
請求項４の発明は、請求項１に記載のサポートであって、
受入れ切欠きは、その軸芯方向を、狭く、また放射方向を、広く形成する構成としたガタ防止機構を備えたサポートである。
【００３９】
従って、請求項４は、請求項１の目的を達成し、かつこの目的を達成するのに最適な、第三の受入れ切欠きの構造を提供できること等の特徴を有する。
【００４０】
請求項５の発明は、請求項１に記載のヘッドレストサポートであって、
第一のガタ防止機構の弾性体は、連設部の一方の周壁に設けた一方の弾性体、及び一方の弾性体に設けた切欠き部でなる膨出壁片と、膨出壁片に設けた突部とし、また、連設部の他方の周壁に設けた他方の弾性体は、他方の弾性体、及び他方の弾性体に設けた受入れ切欠み部でなる第五のガタ防止機構とする構成としたガタ防止機構を備えたヘッドレストサポートである。
【００４１】
従って、請求項５は、請求項１の目的を達成し、かつこの目的を達成するのに最適な、第五のガタ防止機構を提供できること等の特徴を有する。
【００４２】
請求項６の発明は、請求項１に記載のサポートであって、
第一・第三のガタ防止機構を構成する弾性体の外側に、膨出部位を設ける構成としたガタ防止機構を備えたサポートである。
【００４３】
従って、請求項６は、請求項１の目的を達成し、かつこの目的を達成するのに最適な、第一・第三のガタ防止機構の他の一例を提供できること等の特徴を有する。
【００４４】
請求項７の発明は、請求項１に記載のサポートであって、
頭部に設けた貫通孔に、弾性膨出部を形成し、頭部のガタ防止を図る第四のガタ防止機構を有する構成としたガタ防止機構を備えたサポートである。
【００４５】
従って、請求項７は、請求項１の目的を達成し、かつこの目的を達成するのに最適な、頭部のガタ防止を図る第四のガタ防止機構を提供できること等の特徴を有する。
【００４６】
請求項８の発明は、請求項１に記載のサポートであって、
胴部の下端に、弾性体と、弾性体の撓みを受入れる受入れ切欠きとでなる第六のガタ防止機構を有する構成としたガタ防止機構を備えたサポートである。
【００４７】
従って、請求項８は、請求項１の目的を達成し、かつこの目的を達成するのに最適な、第六のガタ防止機構の構造を提供できること等の特徴を有する。
【００４８】
【００４９】
【発明を実施するための最良の形態】
【００５０】
本発明の一例を説明する。
【００５１】
先ず、図面の説明をすると、図１は、車輌とヘッドレスト装置との関係を分解して示した縮尺斜視図、図２は、ヘッドレスト装置の要部（ブラケット、ステーを除いた）の拡大斜視図、図３は第一実施例のサポートの正面図、図４は、第一実施例のサポートの側面図である。そして、図５−１〜図５−１０は、第一実施例の第一のガタ防止機構及び／又は第三の防止機構の第一例〜第十例を示した拡大断面図、また図６−１は、図５−５の動作を説明するＡ矢視模式図、図６−２は、図５−５の動作を説明する平面模式図、図６−３は、図６−２のＣ矢視模式図、図７−１は、図５−５のＢ矢視の第一実施例の第一のガタ防止機構及び／又は第三の防止機構の弾性体と、受入れ切欠きとの関係を示した第一例の拡大断面図、図７−２は、図５−５のＢ矢視の第一実施例の第一のガタ防止機構及び／又は第三の防止機構の弾性体と、受入れ切欠きとの関係を示した第二例の拡大断面図、図７−３は、図５−５のＢ矢視の第一実施例の第一のガタ防止機構及び／又は第三の防止機構の弾性体と、受入れ切欠きとの関係を示した第三例の拡大断面図、図８は、貫通孔の筒部を成型するに適した金型と、この貫通孔との関係を示した図、図９−１は、図８の貫通孔の第一例の断面図、図９−２は、図８の貫通孔の第二例の拡大断面図、図９−３は、図８の貫通孔の第三例の拡大断面図、図９−４は、図８の貫通孔の第四例の拡大断面図、図９−５は、図８の貫通孔の第五例の拡大断面図、図９−６は、図８の貫通孔の第六例の拡大断面図である。また、図１０−１は、サポートの下端に設けた第六のガタ防止機構の一方向からの半截した断面図、さらに、図１０−２は、サポートの下端に設けた第六のガタ防止機構の他方向からの半截した断面図である。尚、図１１は第二実施例のサポートの正面図、図１２は、第二実施例のサポートの側面図である。そして、また、図１３はサポートの操作具の要部の拡大平面図、図１４は、図１３の要部の断面図である。
【００５２】
以下、本発明の好ましい、一例を説明する。
【００５３】
本発明のサポート１（通常は１４φのサポート１）は、例えば、ポリプロピレン等の樹脂で一体的に成型加工され、内部にステー２を挿入するための貫通孔３を、軸方向の上下に亘って貫通する構造とし、このサポート１は図１〜図４と、図１１、図１２（前図に対して小型１２φのサポート１）等に示すように、軸方向の上部より、下部に向かって、略方形状の頭部１００と、この頭部１００の底面より延設され、かつ頭部１００より小径であって、かつ前記貫通孔３との間に肉厚部を設けた（以下、同じ）略方形状の首部１０１、また首部１０１の底面より延設され、この首部１０１より小径で、肉厚部を設けてなり、かつ胴部１０２との間に設けた連設部１０３と、この連設部１０３の下方に設けた、この連結部１０３より小径で、肉厚部を設けてなる、筒形状の前記胴部１０２とで構成される。そして、前記貫通孔３は、頭部１００から胴部１０２まで同じ内径を呈する。
【００５４】
前記サポート１の頭部１００は、その４辺の外周面を、丸みをおびた形状とする。そして、このサポート１の首部１０１の全体と、胴部１０２の一部は、図１に示す如く、シートバックＣのフレームＣ１に対で設けた略方形状を呈するブラケット５（受け部材）に嵌入保持される。そして、首部１０１の下面１０１ａがブラケット５の上面５ａに衝止される。また首部１０１の切欠き片（後述する）が、このブラケット５の内周面５ｂに弾圧される（弾性的に圧嵌される）。尚、前記頭部１００には筒部１００ａと、この筒部１００ａは内周面１００ｂを有する。
【００５５】
ここで、第一のガタ防止機構Ｏを説明すると、この第一のガタ防止機構Ｏは、前記首部１０１と胴部１０２の連設部１０３に設けられる後述する弾性体と、ブラケット５との関係で構成される。以下、その一例を、図５−１〜図５−１０に基づいて、「実施例１」〜「実施例１０」として説明する。
「実施例１」
図５−１に示すのは第一例であり、連設部１０３の一方の周壁１０３ａに弾性体７と、この弾性体７に撓みを付与する切欠き部８（受入れ切欠き）を形成することで、肉薄化した周壁１０３ａを膨出壁片１０３ａ１とし、かつこの膨出壁片１０３ａ１に突部１０３ａ２を形成し、この弾性体７と膨出壁片１０３ａ１の真中を連結片部１０で連結する構造とする。従って、図６−１と図６−２に示した如く、弾性体７が、ブラケット５で押圧されることで、切欠き部８が縮むとともに、突部１０３ａ２が最初に押圧される（破線で示す）。そして、この押圧を介して、膨出壁片１０３ａ１の一部が膨出及び／又は陥没するように変形する（破線で示す）。この状態で、ブラケット５の内周面５ｂに弾性体７が圧接し、この圧接を、膨出壁片１０３ａ１の一部の膨出及び／又は陥没を介して、支持する構造により、サポート１とブラケット５との前後方向（車長方向）のガタ防止（公差がもたらすガタ防止を含む）が図れる。また、サポート１の貫通孔３にステー２を挿入することで、この三者（サポート１と、ブラケット５、並びにステー２）でのガタ防止効果がある。そして、このガタ防止効果は、人、シート及び／又は室内に対する制振効果にも波及することが可能となり、有益である（このガタ防止効果は、以下、同じ）。尚、連設部１０３の他方の周壁１０３ａ’は、円周形状とする。
「実施例２」
図５−２に示すのは第二例であり、連設部１０３の他方の周壁１０３ａ’に弾性体７と、この弾性体７に撓みを付与する貫通切欠き８’（受入れ切欠き）を貫通形成することで、肉薄化した他方の周壁１０３ａ’を膨出壁片１０３ａ１とし、かつこの膨出壁片１０３ａ１に突部１０３ａ２を形成する構造とする。従って、図６−１と図６−２に示した如く、弾性体７が、ブラケット５で押圧されることで、貫通切欠き８’が縮むとともに、突部１０３ａ２が最初に押圧される。そして、この押圧を介して、膨出壁片１０３ａ１の一部が膨出及び／又は陥没するように変形する。この状態で、ブラケット５の内周面５ｂに弾性体７が圧接し、この圧接を、膨出壁片１０３ａ１の一部の膨出及び／又は陥没を介して、支持する構造により、サポート１とブラケット５との前後方向のガタ防止が図れる。また、サポート１の貫通孔３にステー２を挿入することで、この三者（サポート１と、ブラケット５、並びにステー２）でのガタ防止効果がある。尚、連設部１０３の一方の周壁１０３ａは、円周形状とする。
「実施例３」
図５−３に示すのは第三例であり、実施例１を、一方の周壁１０３ａと、他方の周壁１０３ａ’に、それぞれ設けた構造であり、三者での確実なガタ防止効果がある。この例は、例えば、切欠き部８が多くなり、サポート１の軽量化と、省資源化を図る（他の例も同じ）。また均等な弾性力を保持できる特徴がある（他の例も同じ）。
「実施例４」
図５−４に示すのは第四例であり、実施例２を、一方の周壁１０３ａと、他方の周壁１０３’に、それぞれ設けた構造であり、三者での確実なガタ防止効果がある。
「実施例５」
図５−５に示すのは第五例であり、実施例１と実施例２を、一方の周壁１０３ａと、他方の周壁１０３ａ’に、それぞれ設けた構造であり、三者での確実なガタ防止効果がある。
「実施例６」
図５−６に示すのは第六例であり、連設部１０３の一方の周壁１０３ａに後方半幅の弾性体７と、この弾性体７に撓みを付与する切欠き部８（貫通切欠き８’）を形成することで、肉薄化した一方の周壁１０３ａを膨出壁片１０３ａ１とし、かつこの膨出壁片１０３ａ１に突部１０３ａ２を形成した構造とする（この弾性体７と膨出壁片１０３ａ１の真中を連結片部１０で連結する構造もあり得る）。従って、弾性体７が、ブラケット５で押圧されることで、切欠き部８（貫通切欠き８’）が縮むとともに、突部１０３ａ２が最初に押圧される。そして、この押圧を介して、膨出壁片１０３ａ１の一部が膨出及び／又は陥没するように変形する。この状態で、ブラケット５の内周面５ｂに弾性体７が圧接し、この圧接を、膨出壁片１０３ａ１の一部の膨出及び／又は陥没を介して、支持する構造により、サポート１とブラケット５との前後方向のガタ防止が図れる。また、サポート１の貫通孔３にステー２を挿入することで、この三者（サポート１と、ブラケット５、並びにステー２）でのガタ防止効果がある。尚、連設部１０３の他方の周壁１０３ａ’は、円周形状とする。
「実施例７」
図５−７に示すのは第七例であり、連設部１０３の他方の周壁１０３ａ’に前方半幅の弾性体７と、この弾性体７に撓みを付与する切欠き部８（貫通切欠き８’）を形成することで、肉薄化した他方の周壁１０３ａ’を膨出壁片１０３ａ１とし、かつこの膨出壁片１０３ａ１に突部１０３ａ２を形成した構造とする（この弾性体７と膨出壁片１０３ａ１の真中を連結片部１０で連結する構造もあり得る）。その他は、前述の第六例に準ずる。
「実施例８」
図５−８に示すのは第八例であり、実施例６を、一方の周壁１０３ａと、他方の周壁１０３ａ’に、それぞれ設けた構造であり、三者での確実なガタ防止効果がある。
「実施例９」
図５−９に示すのは第九例であり、実施例７を、一方の周壁１０３ａと、他方の周壁１０３ａ’に、それぞれ設けた構造であり、三者での確実なガタ防止効果がある。
「実施例１０」
図５−１０に示すのは第十例であり、実施例６と実施例７を、一方の周壁１０３ａと、他方の周壁１０３ａ’に、それぞれ設けた構造であり、三者での確実なガタ防止効果がある。
「実施例６〜１０」
図５−６〜図５−１０の第六〜第十例において、一方の周壁１０３ａと、他方の周壁１０３ａ’とで形成される、前後の周壁１０３ｃ、１０３ｃ’に、受入れ切込み部８’’を併設し、この受入れ切込み部８’’間に、弾性体７を突出し（前後の周壁１０３ｃ、１０３ｃ’より突出し）、この弾性体７の押圧を介して、三者による左右方向（車幅方向）の確実なガタ防止効果がある。尚、この実施例は、前述の第一〜第五例にも採用できる。そして、また、この実施例を、前記第一〜第十例と併用することが望ましい。そして、この「実施例６〜１０」は、第五のガタ防止機構Ｓである。
「他の実施例」
尚、図面には記載がないが、弾性体７に膨出帯を設ける構造も可能であり、一層のガタ防止に有効である。また一方の周壁１０３ａと、他方の周壁１０３ａ’と、また前後の周壁１０３ｃ、１０３ｃ’に膨出帯を付設することも可能であり、前述の如く、ガタ防止に有効である。これらを第八のガタ防止機構（符号なし）とする。
【００５６】
次に、第二のガタ防止機構Ｐを説明すると、この第二のガタ防止機構Ｐは、前記胴部１０２に設けられた弾性帯片１１と、この弾性帯片１１の両側に設けた切り溝１２との構造であり、この弾性帯片１１には、軸芯方向に陥没する湾曲する弓片１１００と、この弓片１１００の中心に設けた突出する突部１１０１とで構成されている。従って、ブラケット５に押圧されると、弓片１１００が軸芯方向に撓むとともに、この撓みを介して、ステー２の外周面に圧着（弓片１１００がステー２を弾圧する構造）され、ガタ防止として有効であり、またこの弓片１１００に対するステー２の外周面の反撥を介して、突部１１０１が放射方向に押圧され、ブラケット５に圧着（突部１１０１がブラケット５を弾圧する構造）されることで、三者を相互に弾圧する。換言すると、ステー２で、突部１１０１を押圧することで、この突部１１０１がブラケット５を弾圧し、またブラケット５で、突部１１０１を押圧することで、弓片１１００がステー２を弾圧する相互の弾圧関係である。この相互の弾圧関係を介して、ガタ防止効果が発揮できる。このガタ防止効果は、図１〜図４、図１１、図１２等に開示されている。
【００５７】
続いて、第三のガタ防止機構Ｑを説明すると、この第三のガタ防止機構Ｑは、胴部１０２の中間下部に設けられる構造であり、この構造は、前述した第一のガタ防止機構Ｏに準ずる。尚、図１１及び図１２では、第三のガタ防止機構Ｑの別の一例を示している。
【００５８】
また第四のガタ防止機構Ｒは、頭部１００の筒部１００ａ（貫通孔３の一部である）の内周面１００ｂに設けた膨出環部１４であり、この膨出環部１４は、軸芯方向に、筒部１００ａの内面より膨出する構造であり、この膨出環部１４を利用し、ステー２の上部を弾性的に抱持する。そして、この膨出環部１４は、少なくとも、この例では、内周面１００ｂの前後方向の両面に、対峙して設けることが望ましいが、一例であり、例えば、左右方向等も可能である。この第四のガタ防止機構Ｒは、少なくとも、この両者（サポート１と、ステー２）間のガタ防止が図れる構造である。この各例を、図９−１〜図９−７に示してあるので、各例を説明する。図９−１は、膨出環部１４が一体形状の一例であり、最も抱持力が優れている。図９−２は、膨出環部１４の上方（軸線方向）に、切条１４００を設けた一例であり、サポート１の軽量化と、省資源化を図る（他の例も同じ）。図９−３は、膨出環部１４の下方（軸線方向）に、切条１４００を設けた一例であり、その他は、前述の図９−２に準ずる。図９−４は、膨出環部１４の上下方（向って左は、下方で、右は上方）に、切条１４００を設けた一例であり、その他は、前述の図９−２に準ずる。図９−５は、膨出環部１４の中心に、切条１４００を設けた一例であり、その他は、前述の図９−２に準ずる。図９−６は、膨出環部１４の一方（向って左）が一体形状で、その他方（向って右）が中心に切条１４００を設けた一例であり、その他は、前述の図９−２に準ずる。以上で説明した膨出環部１４が、一体形状と、この膨出環部１４に設けた切条１４００との組合せで好ましい一例であり、他の組合せ構造でも可能である。尚、図８は、この筒部１００ａを成型するに適する金型Ｅを、模式的に示した図であり、この金型は、テーパー部を備えている。
【００５９】
そして、第六のガタ防止機構Ｔは、サポート１の胴部１０２の下端で、かつその前後の周壁１０３ｃ、１０３ｃ’に設けた弾性体２５と、ステー２、又はシートバックＣ・フレームＣ１等の部材との関係でガタ防止を図る構造であり、この弾性体２５は、前後の周壁１０３ｃ、１０３ｃ’に設けられるとともに、受入れ切欠き孔２６（受入れ切欠き）を形成する。この弾性体２５は、前後の周壁１０３ｃ、１０３ｃ’において、対峙方向に向って形成される。従って、この弾性体２５が、前記シートバックＣ・フレームＣ１等の部材で押圧されることで、ステー２を弾圧し、少なくとも、この三者（ステー２と、サポート１、並びにシートバックＣ・フレームＣ１等の部材）間の左右方向を主体として、ガタ防止が図れる構造である。尚、ステー２で、一方の周壁１０３ａと、他方の周壁１０３ａ’を押圧可能である。
【００６０】
また、第七のガタ防止機構Ｕは、サポート１の頭部１００の空室部１０４に挿入、かつ係止される操作具３０と、ステー２とによるガタ防止であり、図１３、図１４に示してある。この操作具３０は、操作用の頭部となる操作部３０００と、この操作部３０００より延設した平板部３００１と、この平板部３００１に設けた二股形状で、かつ肉厚方向に貫通した卵形の貫通孔３００２を備えた弾性部３００３と、前記平板部３００１に設けた差渡し部３００４と、この差渡し部３００４に設けた金属平板３１とで構成する。そして、この操作具３０の操作部３０００の内側には、スプリング３２が設けられており、このスプリング３２の反発力を介して、前記空室部１０４に挿入された操作具３０を、常時、頭部１００の放射方向（空室部１０４の開放側）に付勢する構造となっている。この例では、弾性部３００３を介して、ステー２を弾性的に抱持することで、少なくとも、この二者（ステー２と、サポート１）間の前後方向を主体として、ガタ防止が図れる構造である。尚、この弾性部３００３は、ステー２の挿入時において、湾曲され、またステー２の脱抜時において、湾曲が開放される構造である。しかし、前記湾曲の程度は、図示の長さ（Ｌ）が、僅かに長短する程度に設定することが可能であり、操作具３０の機能維持と、空室部１０４への取付けには、問題がない。またこの弾性部３００３を湾曲して取付ける場合においても、操作による荷重に対応可能である。
【００６１】
さらに、第八のガタ防止機構Ｖは、サポート１の頭部１００の下面１００ｃと、首部１０１との間に開設した空間部２０には、楕円形状の弾性環２１が垂下されてあり、この弾性環２１の下端は、この頭部１００の下面１００ｃより下側に存在する。従って、この弾性環２１の下端とブラケット５の上面５ａに衝止され、少なくとも、この両者（サポート１と、ブラケット５）間の上下方向（軸線方向）のガタ防止が図れる構造である。
【００６２】
図中２２は胴部１０２の中間部のやや下端で、かつその前後の周壁１０３ｃ、１０３ｃ’に、その先端部を突設して設けた可撓性係止突起で、この可撓性係止突起２２は、ブラケット５の下端５ｃを、係止かつ支持する構造である。図中３５はヘッドレストである。
【図面の簡単な説明】
【００６３】
【図１】図１は、車輌とヘッドレスト装置との関係を分解して示した縮尺斜視図
【図２】図２は、ヘッドレスト装置の要部（ブラケット、ステーを除いた）の拡大斜視図
【図３】図３は第一実施例のサポートの正面図
【図４】図４は、第一実施例のサポートの側面図
【図５−１】図５−１は、第一実施例の第一のガタ防止機構及び／又は第三の防止機構の第一例を示した拡大断面図
【図５−２】図５−２は、第一実施例の第一のガタ防止機構及び／又は第三の防止機構の第二例を示した拡大断面図
【図５−３】図５−３は、第一実施例の第一のガタ防止機構及び／又は第三の防止機構の第三例を示した拡大断面図
【図５−４】図５−４は、第一実施例の第一のガタ防止機構及び／又は第三の防止機構の第四例を示した拡大断面図
【図５−５】図５−５は、第一実施例の第一のガタ防止機構及び／又は第三の防止機構の第五例を示した拡大断面図
【図５−６】図５−６は、第一実施例の第一のガタ防止機構及び／又は第三の防止機構の第六例を示した拡大断面図
【図５−７】図５−７は、第一実施例の第一のガタ防止機構及び／又は第三の防止機構の第七例を示した拡大断面図
【図５−８】図５−８は、第一実施例の第一のガタ防止機構及び／又は第三の防止機構の第八例を示した拡大断面図
【図５−９】図５−９は、第一実施例の第一のガタ防止機構及び／又は第三の防止機構の第九例を示した拡大断面図
【図５−１０】図５−１０は、第一実施例の第一のガタ防止機構及び／又は第三の防止機構の第十例を示した拡大断面図
【図６−１】図６−１は、図５−５の動作を説明するＡ矢視模式図
【図６−２】図６−２は、図５−５の動作を説明する平面模式図
【図６−３】図６−３は、図６−２のＣ矢視模式図
【図７−１】図７−１は、図５−５のＢ矢視の第一実施例の第一のガタ防止機構及び／又は第三の防止機構の弾性体と、受入れ切欠きとの関係を示した第一例の拡大断面図
【図７−２】図７−２は、図５−５のＢ矢視の第一実施例の第一のガタ防止機構及び／又は第三の防止機構の弾性体と、受入れ切欠きとの関係を示した第二例の拡大断面図
【図７−３】図７−３は、図５−５のＢ矢視の第一実施例の第一のガタ防止機構及び／又は第三の防止機構の弾性体と、受入れ切欠きとの関係を示した第三例の拡大断面図
【図８】図８は、貫通孔の筒部を成型するに適した金型と、この貫通孔との関係を示した図
【図９−１】図９−１は、図８の貫通孔の第一例の断面図
【図９−２】図９−２は、図８の貫通孔の第二例の拡大断面図
【図９−３】図９−３は、図８の貫通孔の第三例の拡大断面図
【図９−４】図９−４は、図８の貫通孔の第四例の拡大断面図
【図９−５】図９−５は、図８の貫通孔の第五例の拡大断面図
【図９−６】図９−６は、図８の貫通孔の第六例の拡大断面図
【図１０−１】図１０−１は、サポートの下端に設けた第六のガタ防止機構の一方向からの半截した断面図
【図１０−２】図１０−２は、サポートの下端に設けた第六のガタ防止機構の他方向からの半截した断面図
【図１１】図１１は第二実施例のサポートの正面図
【図１２】図１２は、第二実施例のサポートの側面図
【図１３】図１３はサポートの操作具の要部の拡大平面図
【図１４】図１４は、図１３の要部の断面図
【符号の説明】
【００６４】
１            サポート
１００        頭部
１００ａ      筒部
１００ｂ      内周面
１００ｃ      下面
１０１        首部
１０１ａ      下面
１０２        胴部
１０３        連設部
１０３ａ      一方の周壁
１０３ａ’    他方の周壁
１０３ａ１    膨出壁片
１０３ａ２    突部
１０３ｃ      前の周壁
１０３ｃ’    後の周壁
１０４        空室部
２            ステー
３            貫通孔
５            ブラケット
５ａ          上面
５ｂ          内周面
５ｃ          下端
７            弾性体
８            切欠き部
８’          貫通切欠き
８’’        受入れ切込み部
１０          連結片部
１１          弾性帯片
１１００      弓片
１１０１      突部
１２          切り溝
１４          膨出環部
１４００      切条
２０          空間部
２１          弾性環
２２          可撓性係止突起
２５          弾性体
２６          受入れ切欠き孔
３０          操作具
３０００      操作部
３００１      平板部
３００２      貫通孔
３００３      弾性部
３００４      差渡し部
３１          金属平板
３２          スプリング
３５          ヘッドレスト
Ｏ            第一のガタ防止機構
Ｐ            第二のガタ防止機構
Ｑ            第三のガタ防止機構
Ｒ            第四のガタ防止機構
Ｓ            第五のガタ防止機構
Ｔ            第六のガタ防止機構
Ｕ            第七のガタ防止機構
Ｖ            第八のガタ防止機構
Ｃ            シートバック
Ｃ１          フレーム
Ｅ            金型
Ｌ            長さ
【図１】
0005242139.tif 000002
【図２】
0005242139.tif 000003
【図３】
0005242139.tif 000004
【図４】
0005242139.tif 000005
【図５−１】
0005242139.tif 000006
【図５−２】
0005242139.tif 000007
【図５−３】
0005242139.tif 000008
【図５−４】
0005242139.tif 000009
【図５−５】
0005242139.tif 000010
【図５−６】
0005242139.tif 000011
【図５−７】
0005242139.tif 000012
【図５−８】
0005242139.tif 000013
【図５−９】
0005242139.tif 000014
【図５−１０】
0005242139.tif 000015
【図６−１】
0005242139.tif 000016
【図６−２】
0005242139.tif 000017
【図６−３】
0005242139.tif 000018
【図７−１】
0005242139.tif 000019
【図７−２】
0005242139.tif 000020
【図７−３】
0005242139.tif 000021
【図８】
0005242139.tif 000022
【図９−１】
0005242139.tif 000023
【図９−２】
0005242139.tif 000024
【図９−３】
0005242139.tif 000025
【図９−４】
0005242139.tif 000026
【図９−５】
0005242139.tif 000027
【図９−６】
0005242139.tif 000028
【図１０−１】
0005242139.tif 000029
【図１０−２】
0005242139.tif 000030
【図１１】
0005242139.tif 000031
【図１２】
0005242139.tif 000032
【図１３】
0005242139.tif 000033
【図１４】
0005242139.tif 000034